(57)【要約】【課題】冷媒回路に装備された弁機構からのノイズ侵入に対して制御回路が影響を受けることなく動作でき、システムの信頼性を向上できる空気調和機の制御回路を提供すること。【解決手段】この発明に係る空気調和機の制御回路は、冷媒の循環流量や循環方向を制御する弁機構を有する冷凍サイクルを備えた空気調和機において、空気調和機全体を制御する制御回路部と、冷凍サイクルの弁機構を制御する弁駆動回路と、制御回路部と弁駆動回路との間に設けられ、電気的に絶縁された状態で信号伝達を行う絶縁回路と、を具備し、制御回路部と弁駆動回路は、それぞれ電気的に絶縁された電源にて駆動されることを特徴とする。【選択図】　　　　図１
2004101106.tif 000002
【特許請求の範囲】
【請求項１】
冷媒の循環流量や循環方向を制御する弁機構を有する冷凍サイクルを備えた空気調和機において、
空気調和機全体を制御する制御回路部と、
前記冷凍サイクルの弁機構を制御する弁駆動回路と、
前記制御回路部と前記弁駆動回路との間に設けられ、電気的に絶縁された状態で信号伝達を行う絶縁回路と、
を具備し、前記制御回路部と前記弁駆動回路は、それぞれ電気的に絶縁された電源にて駆動されることを特徴とする空気調和機の制御回路。
【請求項２】
前記絶縁回路をフォトカプラ等の光半導体で構成したことを特徴とする請求項１に記載の空気調和機の制御回路。
【請求項３】
前記絶縁回路を磁気リレーで構成したことを特徴とする請求項１に記載の空気調和機の制御回路。
【請求項４】
前記絶縁回路をソリッドステートリレーで構成したことを特徴とする請求項１に記載の空気調和機の制御回路。
【請求項５】
冷媒の循環流量や循環方向を制御する弁機構を有する冷凍サイクルを備えた空気調和機において、
空気調和機全体を制御する制御回路部と前記冷凍サイクルの弁機構を制御する弁駆動回路との間の信号伝達を、絶縁回路により電気的に絶縁された状態で信号伝達を行い、
前記制御回路部と前記弁駆動回路を、それぞれ電気的に絶縁された電源にて駆動することを特徴とする空気調和機の制御方法。
【発明の詳細な説明】
【０００１】
【発明の属する技術分野】
この発明は、圧縮機を駆動して熱交換器に冷媒を循環させる空気調和機に係り、空気調和機全体を制御する制御回路部と、冷媒の循環流量や循環方向を制御する弁機構の駆動回路を有する空気調和機の制御回路及び空気調和機の製造方法に関するものである。
【０００２】
【従来の技術】
図３は従来の空気調和機の制御回路のブロック図である。図において、１は交流電源、２は交流電源１からの交流入力を直流に変換するコンバータ、３はコンバータ２より得られた直流を任意の交流に変換するインバータ、４はインバータ３により駆動される圧縮機、５は各種回路用の直流電源、６は空気調和機全体を制御する制御回路、７は冷媒回路に装備された弁機構を動作させるドライバ回路、８はドライバ回路７により駆動する弁である。
【０００３】
従来の空気調和機においては、図３のように交流電源１より得られた交流入力をコンバータ２にて直流入力に変換し、インバータ３にて任意の交流に再度変換し、圧縮機４を駆動する。制御回路６はインバータ３を介して、圧縮機４の駆動を制御し、また同時に空気調和機の各部制御も行なっている。その一部に冷媒の流れ方向や流量を制御する弁８を制御しており、制御回路６はドライバ回路７を介して弁８を駆動している。制御回路６・ドライバ回路７・弁８は直流電源５より電源供給を受けて動作し、直流電源５の構成は制御回路６・ドライバ回路７・弁８すべての部位に対して、回路接地電位が同じ（以下非絶縁構成と示す）電源を供給する仕組みとなっている。
【０００４】
【特許文献１】
特開平９−１２６５３０号公報
【０００５】
【発明が解決しようとする課題】
従来の空気調和機の制御回路は、制御回路６・ドライバ回路７・弁８の電源である直流電源５が非絶縁構成であることから回路構成が簡素にでき、且つ安価に構築できる。しかし、雷やその他機器からの発生するノイズが弁８から侵入した場合、非絶縁構成であるため、最終的には制御回路６までにノイズが侵入し、制御の誤動作やシステムの異常停止等の状態に陥り、空気調和機全体の信頼性を損ねるという問題点があった。
【０００６】
そのため、図４に示すように外来ノイズの対策として、ドライバ回路７と弁８の間にノイズ侵入軽減のためのコア１０を追加挿入し、対策を行なっている。しかし、コア１０はノイズ侵入を軽減することはできるが、電気的に完全遮断することは出来ないので効果のバラツキが大きく、抑制効果を完全に期待できなかった。
【０００７】
この発明は、上記のような問題点を解決するためになされたもので、冷媒回路に装備された弁機構からのノイズ侵入に対して制御回路が影響を受けることなく動作でき、システムの信頼性を向上できる空気調和機の制御回路及び空気調和機の製造方法を提供することを目的とする。
【０００８】
【課題を解決するための手段】
この発明に係る空気調和機の制御回路は、冷媒の循環流量や循環方向を制御する弁機構を有する冷凍サイクルを備えた空気調和機において、空気調和機全体を制御する制御回路部と、冷凍サイクルの弁機構を制御する弁駆動回路と、制御回路部と弁駆動回路との間に設けられ、電気的に絶縁された状態で信号伝達を行う絶縁回路と、を具備し、制御回路部と弁駆動回路は、それぞれ電気的に絶縁された電源にて駆動されることを特徴とする。
【０００９】
また、この発明に係る空気調和機の制御回路は、絶縁回路をフォトカプラ等の光半導体で構成したことを特徴とする。
【００１０】
また、この発明に係る空気調和機の制御回路は、絶縁回路を磁気リレーで構成したことを特徴とする。
【００１１】
また、この発明に係る空気調和機の制御回路は、絶縁回路をソリッドステートリレーで構成したことを特徴とする。
【００１２】
この発明に係る空気調和機の制御方法は、冷媒の循環流量や循環方向を制御する弁機構を有する冷凍サイクルを備えた空気調和機において、空気調和機全体を制御する制御回路部と冷凍サイクルの弁機構を制御する弁駆動回路との間の信号伝達を、絶縁回路により電気的に絶縁された状態で信号伝達を行い、制御回路部と弁駆動回路を、それぞれ電気的に絶縁された電源にて駆動することを特徴とする。
【００１３】
【発明の実施の形態】
以下、この発明の実施の形態を図面に基づいて説明する。
実施の形態１．
図１は実施の形態１を示す図で、空気調和機の制御回路のブロック図である。図において、１は交流電源、２は交流電源１からの交流入力を直流に変換するコンバータ、３はコンバータ２より得られた直流を任意の交流に変換するインバータ、４はインバータ３により駆動される圧縮機、５は各種回路用の直流電源、６は空気調和機全体を制御する制御回路、７は冷媒回路に装備された弁機構を動作させるドライバ回路、８はドライバ回路７により駆動する弁、９は制御回路６とドライバ回路７との間に、電気的に絶縁し信号伝達を行なう絶縁回路であり、この絶縁回路９には一般的にフォトカプラ等の光半導体を用いる。
【００１４】
さらに、直流電源５は制御回路６とドライバ回路７に供給する電源それぞれに回路接地を設け、制御回路６とドライバ回路７とで異なる回路接地としている。
【００１５】
交流電源１より得られた交流入力をコンバータ２にて直流入力に変換し、インバータ３にて任意の交流に再度変換し、圧縮機４を駆動する。制御回路６はインバータ３を介して、圧縮機４の駆動を制御し、また同時に空気調和機の各部制御も行なっている。その一部に冷媒の流れ方向や流量を制御する弁８を制御しており、弁８を駆動する回路動作は、制御回路６より駆動信号が絶縁回路９に送信される。絶縁回路９ではフォトカプラによって、駆動信号が電気信号から光信号に変換され、再度電気信号に変換され、その後ドライバ回路７へ入力される。ドライバ回路７では入力された信号に従って、弁８を駆動する。
【００１６】
以上の回路構成とすることにより、制御回路６とドライバ回路７とは電気的には接続されていない絶縁された状態になる。仮に、弁８からノイズ侵入があっても、制御回路６には侵入しないため制御回路６はノイズの影響を受けることが無くなり、誤動作や停止といった状態に陥ることが無くなる。
【００１７】
上述の実施の形態では、絶縁回路９にフォトカプラを用いたものを示したが、フォトカプラ以外の光半導体を用いてもよい。
【００１８】
実施の形態２．
図２は実施の形態２を示す図で、空気調和機の制御回路のブロック図である。実施の形態１では絶縁回路９にフォトカプラを用いた場合を示したが、この部位は磁気リレーを使った場合でも同様に効果が得られる。
【００１９】
図２は絶縁回路９に磁気リレーを使った場合の構成であり、その他は実施の形態１で示した図１と同様である。
【００２０】
絶縁回路９にフォトカプラを用いる場合は、制御回路６からドライバ回路７への信号伝達は光によって行なうことになるが、磁気リレーを用いた場合は制御回路６からの信号により、磁気リレーの一次巻線側に電流を導通して磁気を発生させ、二次側接点を動作させる。フォトカプラを用いた時と同様に、制御回路６とドライバ回路７を電気的に絶縁することができるので、実施の形態１と同様の効果を得ることができる。
【００２１】
実施の形態３．
上記実施の形態では、絶縁回路９にフォトカプラ、磁気リレーを用いたものを示したが、その他に光で信号のやりとりを行うソリッドステートリレーを用いても良く、フォトカプラを用いた時と同様に、制御回路６とドライバ回路７を電気的に絶縁することができるので、実施の形態１と同様の効果を得ることができる。
【００２２】
【発明の効果】
この発明に係る空気調和機の制御回路は、制御回路部と弁駆動回路との間に電気的に絶縁された状態で信号伝達を行う絶縁回路を備え、制御回路部と弁駆動回路をそれぞれ電気的に絶縁された電源にて駆動されるようにしたので、弁からのノイズ侵入に対して制御回路が影響受けることなく動作でき、システムの信頼性が向上する効果が得られる。
【００２３】
この発明に係る空気調和機の制御方法は、空気調和機全体を制御する制御回路部と冷凍サイクルの弁機構を制御する弁駆動回路との間の信号伝達を、絶縁回路により電気的に絶縁された状態で信号伝達を行い、御回路部と弁駆動回路をそれぞれ電気的に絶縁された電源にて駆動するようにしたので、弁からのノイズ侵入に対して制御回路が影響受けることなく動作でき、システムの信頼性が向上する効果が得られる。
【図面の簡単な説明】
【図１】実施の形態１を示す図で、空気調和機の制御回路のブロック図である。
【図２】実施の形態２を示す図で、空気調和機の制御回路のブロック図である。
【図３】従来の空気調和機の制御回路のブロック図である。
【図４】従来の弁機構からのノイズ侵入抑制対策のブロック図である。
【符号の説明】
１　交流電源、２　コンバータ、３　インバータ、４　圧縮機、５　直流電源、６　制御回路、７　ドライバ回路、８　弁、９　絶縁回路。
【図１】
2004101106.tif 000003
【図２】
2004101106.tif 000004
【図３】
2004101106.tif 000005
【図４】
2004101106.tif 000006